(57)【要約】      （修正有）【課題】内容物を取り去る作業中に、蓋体が作業の邪魔にならず清潔に作業できる生ゴミ処理装置の提供。【解決手段】横向きの軸Ｃを中心とした半円筒状の周壁部３を底部とする処理室２と、処理室２内に投入された被処理物を攪拌するための攪拌手段７とを有し、周壁部３の正面には、上辺から下辺に掛けて幅を減少させて開口した取出口１５と、取出口１５の上辺側の左右正面側に上側が開いた溝を有するピン受部１４ａ、１８ａが設けられ、蓋体１７は、取出口１５と同一もしくは若干小さい相似形であり、上辺側の左右にピン受部１４ａ、１８ａに引っ掛かるピン１７ａを突出させ、上辺を除いて背面側の各辺から張り出したフランジが設けられ、左右のフランジの張り出した両端の長さは、取出口１５の上辺の長さと同じか短い、生ゴミ処理装置１。【選択図】図１
2020116497.tif 000002
【特許請求の範囲】
【請求項１】
横向きの軸を中心とした半円筒状の周壁部を底部とする処理室と、前記横向きの軸を回転中心として、前記処理室内に投入された被処理物を攪拌するための攪拌手段とを設けた生ゴミ処理機において、
前記周壁部の正面には上辺から下辺に掛けて幅を減少させて開口した取出口と、
前記取出口の上辺側の左右正面側に上側が開いた溝を有するピン受部と、
上辺側の左右に前記ピン受部に引っ掛かるピンを突出させ、前記取出口と同一もしくは若干小さい相似形であり、上辺を除いて背面側の各辺から張り出したフランジが設けられた蓋体であって、左右のフランジの張り出した両端の長さは、取出口の上辺の長さと同じか短いことを特徴とする生ゴミ処理装置。
【請求項２】
請求項１の生ゴミ処理装置において、前記攪拌手段が被処理物を攪拌する際の回転方向は、前記取出口の上辺から下辺へ沿った方向であることを特徴とする生ゴミ処理装置。
【発明の詳細な説明】
【技術分野】
【０００１】
本発明は、生ゴミを分解発酵させて肥料化させるための生ゴミ処理装置に関する。
【背景技術】
【０００２】
生ゴミ処理機は、回転軸に離散的に設置された攪拌手段により被処理物を攪拌し、菌体による生ゴミの分解発酵を促進させる。例えば、特許文献１や特許文献２の生ゴミ処理装置によれば横向きの周壁部を有する処理室内に収容された被処理物を攪拌手段で攪拌し、菌体による生ゴミの分解発酵を促進させるようにする技術が示されている。また、生ゴミ処理装置の処理室内の内容物を容易にかつ清潔に取り出すため、排出口はできるだけ低い位置に配置され、常時においてはこれを閉じる蓋体若しくは開閉扉が設けられている。
【先行技術文献】
【特許文献】
【０００３】
【特許文献１】特開平８−２６７０３８号公報
【特許文献２】実開平２−１２５９４２号公報
【発明の開示】
【発明が解決しようとする課題】
【０００４】
排出口を塞ぐ蓋体若しくは開閉扉（以降、蓋体と称する）は、例えば特許文献１においては、蝶番により下に向けて開くもの（同公報の図９）、上側にスライドするもの（同公報、図１）が示されている。また、特許文献２には、蝶番により上側に開くもの（同公報の図２）が示されている。
【０００５】
蓋体を下に向けて開く場合、内容物が開いた蓋体の上に内容物が載せられた状態であり、蓋体を閉めようと操作するには、蓋体の上に内容物を取り去らないと手が汚れてしまう。また、蝶番により蓋体を上側に開く場合、蓋の下側に手を差し込んで内容物を取り去る作業中に、蓋体が何かの衝撃で落下してくる可能性がある。また、上側にスライドする場合、蓋体をスライドさせるためのスライド溝に内容物が堆積し、これを取り除かないと蓋体が閉めることが出来ないという問題がある。
【０００６】
本発明は、内容物を取り去る作業中に、蓋体が作業の邪魔にならず清潔に作業できる生ゴミ処理装置を提供することを目的とする。
【課題を解決するための手段】
【０００７】
上記目的を達成するため、本発明では、横向きの軸を中心とした半円筒状の周壁部を底部とする処理室と、前記横向きの軸を回転中心として、前記処理室内に投入された被処理物を攪拌するための攪拌手段とを設けた生ゴミ処理機において、
前記周壁部の正面には上辺から下辺に掛けて幅を減少させて開口した取出口と、
前記取出口の上辺側の左右正面側に上側が開いた溝を有するピン受部と、
上辺側の左右に前記ピン受部に引っ掛かるピンを突出させ、前記取出口と同一もしくは若干小さい相似形であり、上辺を除いて背面側の各辺から張り出したフランジが設けられた蓋体であって、左右のフランジの張り出した両端の長さは、取出口の上辺の長さと同じかいことを特徴とする。
【発明の効果】
【０００８】
本発明の生ゴミ処理装置によれば、蓋体をピン受部から取り外すことにより、生ゴミ処理装置から分離できるため、蓋体が取り出し作業の邪魔にはなることはない。また、蓋体のフランジは、周壁部の内壁面に当接するものであって、当接する箇所の内壁面には特別な構造物はなく、内壁面は一面滑らかな連続面で差し支えない。このため、周壁部の内壁面には、内容物が溜まってしまう窪み等が無い構造とすることができる。
【図面の簡単な説明】
【０００９】
【図１】本実施例の生ゴミ処理装置１の斜視図である。
【図２】蓋体と取出口とを示す図であり、図２Ａは蓋体の正面図、図２Ｂは背面図、図２Ｃは側面図、図２Ｄは取出口を処理室の内側から見た図である。
【図３】生ゴミ処理装置の使用例及び作動を説明する図である。
【発明を実施するための最良の形態】
【００１０】
以下、実施例の生ゴミ処理装置１を説明する。生ゴミ処理装置１は、処理室２を内部に備えている。処理室２は、横向きの軸Ｃを中心とした半円筒状の周壁部３を底部とし、周壁部３の左右端を閉鎖した左右の端面壁部４、５と、上半部６とを有する。上半部６は、処理室２の底部とされた周壁部３の天井側をなし、両者で処理室２の正面、背面、底面、平面を覆っている。
【００１１】
処理室２には横向きの軸Ｃを中心軸とする回転軸８が設けられ、回転軸８には間隔をおいて離散的に複数の攪拌手段７を張り出させている。回転軸８は左右の端面壁部４、５間に回転駆動可能に架装されている。また攪拌手段７は棒状で有り、その先端に刃部材９が固定されている。
【００１２】
周壁部３は、攪拌手段７の回転軌跡に沿っており、内容物が攪拌手段７の刃部材９により周壁部３の上を移動、攪拌されるようになっている。また、上半部６は、攪拌手段７の回転軌跡より上方へ離れるようになされていて、攪拌手段７の回転軌跡よりも上側に左右の端面壁部４、５の間に空間が形成されている。処理室２の右側の端面壁部５には吸気ファン１１の吸引力を付与される排気口１２が設けてある。
【００１３】
処理室２の左側の端面壁部４の近傍で周壁部３の上下方向略中間高さ位置には大気吸引を可能とした主吸気口１３ａが設けられている。端面壁部４には補助吸気口１３ｂが設けられている。補助吸気口１３ｂは、処理室２内に左右向きの空気の流れの方向性を持たせるものであり、主吸気口１３ａと補助吸気口１３ｂとの相互作用により、処理室２内の空気の流れを旋回流にして処理室２内の換気と酸素供給を全体的にむら無く行う。
【００１４】
開口１９は、メンテナンス用若しくは生ゴミ等の投入用の開口である。開口１９は、上半部６の前側の斜面部６ａに形成された比較的大きな四角状の開口である。処理室２は、適当な断熱材を介して周囲を取り囲む収容ケース１０内に設置されており、斜面部６ａに沿って開口１９を覆うように上辺部にヒンジを介して蓋体２０が装着されている。蓋体２０を開閉することにより開口１９を介して、処理室２内にアクセスできる。蓋体２０には日々の生ゴミなどの投入に使用される小形開閉口２１が形成されている。
【００１５】
収容ケース１０の正面左側には操作盤２２が固定してあり、また攪拌手段７を回転作動させるための電動モータなどが設けられている。電動モータは収容ケース１０内に形成された伝動機構２３を介して回転軸８の右端と連動連結されており、また処理室２内に設けた温度センサに関連して作動する。
【００１６】
処理室２の正面下側の中央付近には内容物を取出すための取出口１５が設けてある。取出口１５の正面には、取出口１５から内容物を落下させるスロープ１６と、スロープ１６の左右に案内壁１４、１８が設けられている。また、取出口１５を閉鎖する取り外し可能な蓋体１７が設けられている。蓋体１７は、上辺側の左右にピンを突出させている。取出口１５の上辺側の左右正面側には上側が開いた溝を有するピン受部が設けられている。実施例においては、ピン受部１４ａ、１８ａは案内壁１４、１８の夫々の上部を取出口１５の上側まで伸ばし、処理室２側の一部を切り欠くことにより、処理室２と案内壁１４、１８との間に設けている。
【００１７】
図２において、蓋体１７と取出口１５の関係についてさらに説明する。図２Ａ、Ｂ、Ｃは、蓋体１７の正面、背面、側面を示している。又、図２Ｄは、周壁部３の内部から取出口１５を見た図である。取出口１５は、上辺１５ｐから下辺１５ｓに掛けて幅を減少させており、左右辺１５ｑ、１５ｒの間隔が上辺１５ｐの長さＬ３より広がる箇所がない形状になっている。蓋体１７は、これに対応して形成されており、本体１７ｃ、上辺１７ｐを除く３辺１７ｑ、１７ｒ、１７ｓにはフランジ１７ｂ設けられている。フランジ１７ｂは、本体１７ｃの裏側に設けられている。正面上側には、取っ手１７ｅが設けられている。また、本体１７ｃの正面側には、断熱材１７ｄが取り付けられている。実施例においては、下辺の長さＬ４を３００ｍｍとし、上辺の長さＬ３を３５０ｍｍとした。
【００１８】
本体１７ｃとなる鉄板は、取出口１５と同形若しくは若干相似的に小さい形状をしている。実施例においては、周壁部３を構成する鉄板から取出口１５を切り出したときに、切り離した鉄板を使用した。左右のフランジ１７ｂの張り出した両端の長さＬ１（幅方向）は、取出口１５の上辺１５ｐの長さＬ３と同じか短くなっている。また、本体１７ｃの左右側辺から張り出した長さＬ２は、蓋体１７の下辺１７ｓ側の方が長くなっている。ピン１７ａは、上辺１７ｐの上側でかつ、本体１７ｃの正面側に設けられている。
【００１９】
次に、図３を用いて生ゴミ処理装置１の使用例及び作動について説明する。図３Ａにおいて、取り外しておいた蓋体１７を取出口１５に取り付ける様子を、図３Ｂから図３Ｄに順に示す。図３Ｂにおいて、取出口１５の上辺から蓋体１７の下辺１７ｓを差し込む。取出口１５の上辺１５ｐの長さＬ３が最も広く開口した箇所であるからである。蓋体１７をそのまま処理室２に挿入して、ピン１７ａをピン受部１４ａ、１８ａに引っ掛ける（図３Ｃ）。蓋体１７は、ピン１７ａを支点として、重力により回転落下し、フランジ１７ｂが周壁部３の内部に当接して設置される。フランジ１７ｂが、周壁部３の内部に当接した際の当接範囲を、一点破線ｂで図２Ｄに示した。取出口１５の下辺１５ｓ側に行くほどフランジ１７ｂと周壁部３の当接する面積を大きくすることにより、内容物の漏れを防止する。また、攪拌手段７の回転は、図３Ｄに示すように、取出口１５の上辺から下辺へ沿うように矢印ａの方向に回転させると、内容物のあふれの恐れがなくなる。また、蓋体１７を取り外し、内容物を取出口１５から出すときは、矢印ａの反対方向に回転させると自動的に取り出すことができる。
【００２０】
本実施例の生ゴミ処理装置１によれば、蓋体１７をピン受部１４ａ、１８ａから取り外すことにより、生ゴミ処理装置１から分離できるため、蓋体１７が取り出し作業の邪魔にはなることはない。また、蓋体１７のフランジ１７ｂは、周壁部３の内壁面に当接するものであって、当接する箇所の内壁面には特別な構造物はなく、内壁面は一面滑らかな連続面で差し支えない。このため、周壁部３の内壁面には、内容物が溜まってしまう窪み等が無い構造とすることができる。
【００２１】
上記実施例においては、取出口１５とスロープ１６の正面には、右側に開閉する開閉扉２４が設けられており、開閉扉２４を閉塞したときに取出口１５とスロープ１６の正面を覆うことにより、部外者が蓋体１７を取り外せないようにしている。また、蓋体２０を閉塞したときに、蓋体２０の前側にオーバーハングしたフラップ部分２０ａが閉塞した開閉扉２４に対して被さり、開閉扉２４の開閉を拘束する。蓋体２０を施錠すれば、開閉扉２４も一体的に施錠できるようになっている。
【符号の説明】
【００２２】
１     生ゴミ処理装置
２     処理室
３     周壁部
４、５     端面壁部
６     上半部
６ａ     斜面部
７     攪拌手段
８     回転軸
９     刃部材
１０     収容ケース
１１     吸気ファン
１２     排気口
１３ａ    主吸気口
１３ｂ    補助吸気口
１４、１８     案内壁
１４ａ、１８ａ     ピン受部
１５     取出口
１６    スロープ
１７     蓋体
１７ａ     ピン
１７ｂ     フランジ
１７ｃ     本体
１７ｄ     断熱材
１７ｅ     取っ手
１９     開口
２０     蓋体
２０ａ     フラップ部分
２１     小形開閉口
２２     操作盤
２３     伝動機構
２４     開閉扉
【図１】
2020116497.tif 000003
【図２】
2020116497.tif 000004
【図３】
2020116497.tif 000005